(57)【要約】【課題】簡単な構成で光量の調整を行うことができる机上用照明器具を提供すること。【解決手段】第１のシェード１５の下部カバー４６には、第１の開口４２の端部（基端部１５Ａ方向と反対側端部）の近傍において、第１および第２の可動ルーバー５０、５５の羽根５１、５６の向きを一括して変化させるための可動用部材６９が内蔵されている。操作部材６７は、下部カバー４６から露出していて、操作部材６７を操作することによって第１および第２の可動ルーバー５０、５５の羽根５１、５６の向きは、一括して調整されるようになっている。【選択図】図６
2007323927.tif 000002
【特許請求の範囲】
【請求項１】
下面に光を放出するための開口を有し、開口内方にランプを収容することができるシェードと、
上記開口に配置された複数枚の羽根、上記複数枚の羽根の向きを連動させて変化させるための可動用部材、および複数枚の羽根の向きを調整するための操作部材とを備えた可動ルーバーを含むことを特徴とする机上用照明器具。
【請求項２】
上記複数枚の羽根は白色半透明であり、
上記操作部材を操作して上記複数枚の羽根の向きを調整することで、上記下面から放出される光の強さを調整できるようになっていることを特徴とする請求項１記載の机上用照明器具。
【請求項３】
上記複数枚の羽根は有色半透明であり、
上記操作部材を操作して上記複数枚の羽根の向きを調整することで、上記下面から放出される光の色調を調整することができるようになっていることを特徴とする請求項１記載の机上用照明器具。
【請求項４】
上記シェードは、互いに対称形状を有した一対のシェードで構成されており、
上記各シェードの開口には上記可動ルーバーが備えられていて、
さらに、上記一対のシェードを、各基端部を中心に連動して回動させるための回動ユニットを含むことを特徴とする請求項１ないし３のいずれかに記載の机上用照明器具。
【発明の詳細な説明】
【技術分野】
【０００１】
この発明は、机の天板などに取り付けられて使用される机上用照明器具に関する。
【背景技術】
【０００２】
従来から、机に取り付けられて机の上を照明する机上用照明器具が知られている。このような机上用照明器具としては、机に支柱を取り付け、この支柱に支持されたアームの先端にシェードを配置し、シェードの内方に配置されたランプによって机の上を照明するものが一般的である（たとえば特許文献１参照）。
シェードから机の上に照射される光の量は、使用者が調整可能であることが好ましい。
【特許文献１】特開２００１−２４３８３２号公報
【発明の開示】
【発明が解決しようとする課題】
【０００３】
シェードから照射される光の量を調整可能にするためには、たとえば電気的構成によりランプの輝度を使用者が調整できるようにすることが考えられる。
しかしながら、かかる場合は、机上用照明器具に電気的調光機構を組み込まなければならず、高コストとなってしまう。コストが高くならずに、簡単な構成で光量の調整を行うことが望まれている。
【０００４】
この発明は、かかる背景のもとでなされたものであり、この発明の目的は、簡単な構成で光量の調整を行うことができる机上用照明器具を提供することである。
【課題を解決するための手段】
【０００５】
請求項１記載の発明は、下面（４１）に光を放出するための開口（４２、４３、１４２）を有し、開口内方にランプ（２３）を収容することができるシェード（１５、１６、１１５、１１６）と、上記開口に配置された複数枚の羽根（５１、５６、７１、７６、１５１）、上記複数枚の羽根の向きを連動させて変化させるための可動用部材（６９）、および複数枚の羽根の向きを調整するための操作部材（６７、１６７）とを備えた可動ルーバー（５０、５５）を含むことを特徴とする机上用照明器具（１０、１００）である。
【０００６】
なお、括弧内の数字は、後述の実施形態における対応構成要素等を表す。以下、この項において同じ。
この発明によれば、操作部材を操作して上記複数枚の羽根の向きを調整することで、ランプから照射される光のうち、シェードの下面から放出される光の量を調整することができる。したがって、簡単な操作で光量の調整を行うことができる。
【０００７】
請求項２記載の発明は、上記複数枚の羽根は白色半透明であり、上記操作部材を操作して上記複数枚の羽根の向きを調整することで、上記下面から放出される光の強さを調整できるようになっていることを特徴とする請求項１記載の机上用照明器具である。
この発明によれば、光が白色半透明の羽根を通過することで光は弱められるので、複数枚の羽根の向きを調整することで、光量の調整を行うことができる。これにより、簡単な構成で光量の調整を行うことができる。なお、ここでいう「白色」とは、乳白色をも含む意味である。
【０００８】
請求項３記載の発明は、上記複数枚の羽根は有色半透明であり、上記操作部材を操作して上記複数枚の羽根の向きを調整することで、上記下面から放出される光の色調を調整することができるようになっていることを特徴とする請求項１記載の机上用照明器具である。
この発明によれば、羽根の向きを調整することで、ランプからの光と、複数枚の羽根を通過した光の色の割合を変えることができ、これにより、光の色調の調整を行うことができる。したがって、簡単な構成で、光量の調整および光の色調の調整を行うことができる。
【０００９】
有色半透明は、たとえばオレンジ色の半透明や、赤色半透明など、赤みを帯びた色であることが望ましい。かかる場合は、温かみのある色に切り換えることが可能である。
請求項４記載の発明は、上記シェードは、互いに対称形状を有した一対のシェード（１５、１６）で構成されており、上記各シェードの開口には上記可動ルーバーが備えられていて、さらに、上記一対のシェードを、各基端部（１５Ａ、１６Ａ）を中心に連動して回動させるための回動ユニット（１４）を含むことを特徴とする請求項１ないし３のいずれかに記載の机上用照明器具である。
【００１０】
この発明によれば、各シェードごとに個別に光量の調整を行うことができるので、より、適切な照明を実現することができる。
特に、一対のシェードのうち、一方のシェードに請求項２記載の複数枚の羽根が、他方のシェードに請求項３記載の複数枚の羽根が設けられていることが好ましい。かかる場合は、より多彩な色調、光量の調整を簡単な構成で実現することができる。
【発明を実施するための最良の形態】
【００１１】
以下では、図面を参照して、この発明の実施形態を、具体的に説明する。
図１は、この発明にかかる机上用照明器具が学習机に取り付けられた状態を示す斜視図である。
机上用照明装置１０は、学習机１の天板２に取付け可能な支柱１１と、その支柱１１の先端に、支柱１１に対して回転自在に取り付けられた回転支持体１２と、回転支持体１２に対して上下方向に傾動自在に取り付けられた長手のアーム１３と、アーム１３の先端部に取り付けられ、シェード１５、１６を回動可能に保持する回動ユニットとしてのシェード保持体１４と、シェード保持体１４に取り付けられ、それぞれランプを備えた一対の第１および第２のシェード１５、１６とを備えている。
【００１２】
支柱１１は中空の樹脂製部材であり、内部にランプの点灯および消灯を制御する点灯回路基板が収容されている。支柱１１の下端部にはクランプ（図示しない）が取り付けられており、このクランプによって支柱１１が学習机１に対して固定されている。支柱１１の途中部には、第１および第２のシェード１５、１６のランプを、それぞれ個別に点灯、消灯させるための一対の電源スイッチボタン１７、１８が配置されている。
【００１３】
上述のように、回転支持体１２は支柱１１に対して矢印２１に示す方向に回転自在に支持されているとともに、アーム１３は回転支持体１２に上下方向（矢印２２に示す方向）に傾動可能に支持されている。これにより、アーム１３の先端部に取り付けられている一対のシェード１５、１６は、支柱１１に対して、前後方向および上下方向に対して変位することができるようになっている。
【００１４】
第１のシェード１５はシェード保持体１４の図１における右側に取り付けられており、第２のシェード１６はシェード保持体１４の図１における左側に取り付けられている。第１および第２のシェード１５、１６は互いに細長い形状を有していて、矢印２０に示すように、各シェード１５、１６の基端部１５Ａ、１６Ａを中心として回動可能とされている。
【００１５】
図２は、図１に示す状態から、一対のシェードを互いに閉じて揃え、シェードを下方に移動させた状態を示す斜視図である。第１および第２のシェード１５、１６は互いに閉じて揃えることができるようにされていて、第１および第２のシェード１５、１６を揃えた状態のまま第１および第２のシェード１５、１６を昇降させることが可能とされている。このため、シェードが１つしかない机上用照明器具と同様に取り扱うことができる。これにより、使用者の好みにより、シェード１５、１６を２つのシェードとして取り扱うこともできるし、また、シェード１５、１６を１つのシェードとして取り扱うこともできる。
【００１６】
また、シェード保持体１４はアーム１３に対して回転自在に取り付けられていて、第１および第２のシェード１５、１６を、アーム１３に対して回動させることも可能である。
なお、シェード保持体１４の下端には、使用者がシェード保持体１４を掴み易いように、Ｕ字状の取っ手１９が取り付けられている。
図３は、第１のシェードおよび第２のシェードを下方から見た図である。各シェード１５、１６は、基端部１５Ａ、１６Ａを中心として９０°の範囲で回動可能とされている。この図では、一対のシェード１５、１６を互いに閉じて揃えた状態を示している。各シェード１５、１６は、平面視で線対称な形状とされている。
【００１７】
図４は、シェード保持体によるシェードの保持状態を示す要部平面図である。図５は、図４の矢印Ａから見た図である。
図４および図５は第１のシェード１５および第２のシェード１６を開いて伸ばし切った状態を示している。説明の便宜上、第１および第２のシェード１５、１６を閉じた状態で基端部１５Ａ、１６Ａから見てシェード１５、１６の延びる方向を前方として説明する。
【００１８】
シェード保持体１４は、第１のシェード１５および第２のシェード１６を回転可能に保持するシェード保持部２５と、このシェード保持部２５の下方に配置され、シェード保持部２５とアーム１３の先端部とを接続するための接続部２６とを備えている。
シェード保持部２５は、所定の厚みを有した板状の部材であり、接続部２６と連なって前方へと延びる小幅部２５Ａ部と、小幅部２５Ａの先端から左右の方向に広がった大幅部２５Ｂとを備えている。
【００１９】
シェード保持部２５の大幅部２５Ｂは、第１のシェード１５を、回動軸Ｃ１を中心として回動自在に保持している。また、このシェード保持部２５の大幅部２５Ｂは、第２のシェード１６を、回動軸Ｃ２を中心として回動自在に可能に保持している。
接続部２６は、外郭略円筒状を有しており、その上下方向途中部の周面には、使用者が接続部２６を掴み易いように、窪み２７が形成されている。
【００２０】
一方で、第１および第２のシェード１５、１６の基端部１５Ａ、１６Ａには、下面側に、下面４１、４１よりも一段低い段部２８、２９が形成されている。各基端部１５Ａ、１６Ａの前側側面には円弧面３０、３１が形成されていて、各円弧面３０、３１には多数の歯が設けられた歯部３２、３３が設けられている。
第１のシェード１５の歯部３２と、第２のシェード１６の歯部３３とが互いに噛み合った状態で、第１および第２のシェード１５、１６がシェード保持部１５に取り付けられている。両シェード１５、１６の歯部３２、３３同士が噛み合っているので、たとえば第１のシェード１５が一方向に回動すると、これに連動して第２のシェード１６は第１のシェード１５の回動方向と反対の方向に回動する。このように、第１のシェード１５および第２のシェード１６は互いに連動して回動する。
【００２１】
この実施形態の特徴は、第１および第２のシェード１５、１６の下面４１の開口４２、４３に可動ルーバー５０、５５を配置した点にある。
図６は、図３のVI−VI線に沿う断面図である。第２のシェード１６は、第１のシェー
ド１５とその構成がほぼ共通している。以下、第２のシェード１６のうち、第１のシェード１５と構成が共通する部分については第１のシェード１５と同じ符号を図３に付し、説明を省略する。
【００２２】
図３および図６を参照して、第１のシェード１５について説明する。第１のシェード１５は、シェード本体４４と、シェード本体４４の下面４１を構成する下部カバー４６とを有している。下部カバー４６は、半透明乳白色のアクリル板によって構成されている。下部カバー４６には、ともに長方形状の第１の開口４２および第２の開口４３が、第１のシェード１５の長手方向に沿って並んで形成されている。
【００２３】
シェード本体４４内には、Ｕ型の蛍光灯からなるランプ２３が収容されている。ランプ２３からは白色の光が発光するようになっている。ランプ２３の上方には、ランプ２３から発光された光を下面４１に向けて反射する反射板４５（図６参照）が配置されている。反射板４５はランプ２３の上方だけでなく側方まで延びるように配置されている。シェード本体４４の側面（図６で示す右側）は、下半分４４Ａが乳白色半透明のアクリル板で構成されている。
【００２４】
図３を参照して、第１の開口４２には第１の可動ルーバー５０が設けられている。第２の開口４３には第２の可動ルーバー５５が設けられている。
第１の可動ルーバー５０は、互いに平行に配置された４枚の長手の羽根５１を備えている。各羽根５１は、乳白色半透明のアクリル部材で構成されている。図３では、各羽根５１は紙面と直交する方向に向いている。４枚の羽根５１は連動して向き（姿勢）が変えられるようになっていて各羽根５１の向きも、４枚の羽根５１の間で共通とされている。
【００２５】
第２の可動ルーバー５５は、互いに平行に配置された４枚の長手の羽根５６を備えている。各羽根５６は、乳白色の半透明のアクリル部材で構成されている。各羽根５６は、上記の羽根５１と同軸のもので、各羽根の５６向きは羽根５１と同じ向きとされている。羽根５１が向きを変えると、羽根５６も連動して同方向に向きを変える。このため、各羽根５６についても、その向きが４枚の羽根５６の間で共通とされている。
【００２６】
下部カバー４６内には、第１の開口４２の端部（基端部１５Ａ方向と反対側端部）の近傍において、第１および第２の可動ルーバー５０、５５の羽根５１、５６の向きを一括して変化させるための可動用部材６９が設けられている。可動用部材６９は、長手を有する板状部材であり、操作部材６７と一体的にスライド変位可能にされたものである。この操作部材６７は下部カバー４６から下方側に露出するつまみ部材であり、使用者が操作部材６７をつまんでスライド操作することができるようになっている。
【００２７】
図７は、可動用部材の構成を模式的に示す要部平面図である。図６および図７を参照して可動用部材６９を説明する。
第１の可動ルーバー５０の４枚の各羽根５１は、下部カバー４６に、回転軸５１Ａを中心として回転自在とされている。第１の可動ルーバー５０の各羽根５１の長手方向の端部５１Ｂ（基端部１５Ａと反対側の端部）には、軸方向に沿って延びる係合突起６８が設けられている。係合突起６８は、羽根５１の幅方向に対して回転軸５１Ａとずれた位置関係にある、幅方向の端部５１Ｃに配置されている。
【００２８】
一方、可動用部材６９には、羽根５１に形成された係合突起６８と係合するリブ対６９ａ、６９ｂが４対形成されている。各リブ対６９ａ、６９ｂは上下方向に延びており、係合突起６８を挟むように係合突起６８と係合している。各リブ対６９ａ、６９ｂは、係合突起６８の上下方向への変位を許容しつつ、係合突起６８の前後方向（第１のシェード１５の幅方向）に連動して変位可能に保持するものである。可動用部材６９の前後方向（第１のシェード１５の幅方向）のスライド変位に連動して、係合突起６８がスライド変位し、これにより、羽根５１が回転軸５１Ａを中心として回転して、羽根５１の向きが変わる。可動用部材６９は４枚の羽根５１全てと係合しているので、可動用部材６９が前後方向にスライド変位すると、これに連動して、４枚の羽根５１全ての向きが変更するようになる。また、上述のように、第２の可動ルーバー５５の羽根５６の向きは、第１の可動ルーバー５０の羽根５１の向きと連動している。これにより、操作部材６７を操作することで、第１の可動ルーバー５０の羽根５１および第２の可動ルーバー５５の羽根５６の向きを調整することができる。操作部材６７は、可動用部材６９の途中部から、下方に突出して形成されたものである。
【００２９】
図８は、図６の状態から操作部材を図６で示す左側にスライド変位して、羽根の向きを調整した状態を示す図である。この状態で羽根５１、５６が鉛直方向となす角度はθ１（たとえば７５°）である。この状態では、第１および第２の開口４２、４３は羽根５１、５６によって覆われている。また、図９に示すように、図６の状態から、図８とは逆方向（図６で示す右側）に操作部材６７をスライド変位させることもできる。この状態では、羽根５１、５６が鉛直方向となす角度はθ２（たとえば４５°）である。操作部材６７を操作することで、図８と図９との間の範囲で、羽根５１、５６の向きが任意の角度に調整可能とされている。
【００３０】
第１のシェード１５の第１および第２の可動ルーバー５０、５５の羽根５１、５６が乳白色半透明のアクリル部材で構成されているので、ランプ２３から発光される光が羽根５１、５６を通過することで光は弱められる。このため、操作部材６７を操作して、４枚の羽根５１、５６の向きを調整することで、ランプ２３から照射される光のうち、第１のシェード１５の下面４１から放出される光の量が調整される。したがって、簡単な操作で光量の調整を行うことができる。
【００３１】
第２のシェード１６が第１のシェード１５と相違する点は、第２のシェード１６の第１および第２の可動ルーバー５０、５５の羽根７１、７６が乳白色半透明のアクリル部材ではなく、オレンジ色の半透明のアクリル部材で構成されている点である。アレンジ色の半透明の羽根７１、７６を通過した光はその色調が赤みを帯びたものとなる。かかる場合、使用者に温かみを与えることができる。羽根７１、７６の向きを調整することで、ランプ２３から照明された光の色調を変えることができる。これにより、簡単な構成で光の色調の調整を行うことができる。
【００３２】
この実施形態では、シェード１５では光量の調整を行うことができ、また、シェード１６では光量の調整に加えて、色調の調整をも行うことができる。これにより、簡単な構成で、多彩な色調、光量の調整を行うことができる。
この実施の形態の説明は、以上の通りであるが、この発明は以上説明した実施形態に限定されない。
【００３３】
上述の説明では、各シェード１５、１６の下面４１に開口４２、４３を２つ形成したものについて説明したが、大きなサイズの開口が１つだけ形成されていてもよい。
また、第１のシェード１５の羽根５１、５６と、第２のシェード１６の羽根７１、７６とで色を異ならせることとしたが、両方とも乳白色半透明としてもよいし、両方ともオレンジ色半透明としてもよい。
【００３４】
図１０〜図１４は、この発明の他の実施形態に係る机上用照明装置１００を説明するための図であり、図１０は机上用照明装置１００の正面図、図１１はその左側面図、図１２はその平面図、図１３はその底面図であり、図１４は、シェードを回転させた状態の平面図である。
机上用照明装置１００は、支柱１１１と、支柱１１１に対して上下に伸縮可能な側面視鉤形のアーム１１３を備えている。アーム１１３は、支柱１１１の上部方向に突出すると共に、その上端が前方に略直角に折れ曲がっていて、先端は前方へ突出している。アーム１１３の先端には、照明装置本体１１０と、照明装置本体１１０の右側および左側には、それぞれ、第１のシェード１１５および第２のシェード１１６が突設されている。
【００３５】
照明装置本体１１０は、アーム１１３の先端と、上下方向に回転可能な連結部材１１２で連結されている。従って、照明装置本体１１０は、アーム１１３の水平方向延長線上に位置する状態（図１１に示す状態）から、図１１で示す矢印Ａ１、Ａ２の方向に、連結部材１１２を中心に回動させることができる。
照明装置本体１１０の右側および左側に突設された第１のシェード１１５および第２のシェード１１６には、それぞれ、その下方部を覆う下部カバー１４６が備えられている。下部カバー１４６には、それぞれ光を透過させるための開口１４２が形成されている。
【００３６】
先の実施形態と同様、シェード１１５、１１６内にはランプを配置することができ、ランプの光は開口１４２を通して下方に照射される。
そして、この開口１４２を通過する光の光量を調整したり、色調を調整したりするための複数枚（図示では４枚）の羽根１５１を含むルーバーが備えられている。
ルーバーの働き等については、先に説明した実施形態と同様であり、ここでの説明については省略する。また、ルーバーの詳細な構成についても、先に説明した実施形態と同様であり、ここでの説明は省略する。
【００３７】
なお、図１３において、１６７は、ルーバーを操作するための操作部材である。
この実施形態では、第１のシェード１１５および第２のシェード１１６に備えられた各下部カバー１４６は、その端部（照明器具本体１１０と反対側の端部）１７０が、シェード１１５、１１６の上面側に向かって湾曲している。
そして、下部カバー１４６は、たとえば乳白色の半透明のアクリル部材で構成されており、光を透過し得るようになっている。
【００３８】
このため、シェード１１５、１１６に内蔵されたランプの光は、開口１４２を通して、ルーバーで調光されながら下方を照射すると共に、各ランプの光は、端部１７０を通して柔らかく辺りを照明する。
それゆえ、ルーバーによる調光作用と相挨って、端部１７０を通してシェード１１５、１１６の両端近傍にも柔らかな光が放射されるので、机上全体をより広範囲に照明することのできる照明装置を実現できる。
【００３９】
この他の実施形態に係る照明装置１００は、図１４に示すように、照明装置本体１１０に対して第１のシェード１１５および第２のシェード１１６が、それぞれ、独立して、所定角度範囲内で根元を中心に回動し得るものである。
その他、請求項記載の範囲において種々の変更が可能である。
【図面の簡単な説明】
【００４０】
【図１】この発明にかかる机上用照明器具が学習机に取り付けられた状態を示す斜視図である。
【図２】図１に示す状態から、一対のシェードを互いに閉じて揃え、シェードを下方に移動させた状態を示す斜視図である。
【図３】第１のシェードおよび第２のシェードを下方から見た図である。
【図４】シェード保持体によるシェードの保持状態を示す要部平面図である。
【図５】図４の矢印Ａから見た図である。
【図６】図３のVI−VI線に沿う断面図である。
【図７】可動用部材の構成を模式的に示す要部平面図である。
【図８】羽根の向きを調整した状態を示す図である。
【図９】羽根の向きを調整した状態を示す図である。
【図１０】他の実施形態に係る机上用照明装置の正面図である。
【図１１】他の実施形態に係る机上用照明装置の左側面図である。
【図１２】他の実施形態に係る机上用照明装置の平面図である。
【図１３】他の実施形態に係る机上用照明装置の底面図である。
【図１４】シェードを回転させた状態の平面図である。
【符号の説明】
【００４１】
１  学習机
１０、１００  机上用照明装置
１４  シェード保持体（回動ユニット）
１５、１１５  第１のシェード
１５Ａ  基端部
１６、１１６  第２のシェード
１６Ａ  基端部
２３  ランプ
４１  下面
４２  第１の開口
４３  第２の開口
４４  シェード本体
５０  第１の可動ルーバー
５１、５６  羽根
５５  第２の可動ルーバー
７１、７６  羽根
６７  操作部材
６９  可動用部材
１４２      開口
１５１      羽根
【図１】
2007323927.tif 000003
【図２】
2007323927.tif 000004
【図３】
2007323927.tif 000005
【図４】
2007323927.tif 000006
【図５】
2007323927.tif 000007
【図６】
2007323927.tif 000008
【図７】
2007323927.tif 000009
【図８】
2007323927.tif 000010
【図９】
2007323927.tif 000011
【図１０】
2007323927.tif 000012
【図１１】
2007323927.tif 000013
【図１２】
2007323927.tif 000014
【図１３】
2007323927.tif 000015
【図１４】
2007323927.tif 000016